(57)【特許請求の範囲】
【請求項１】
ネットワークを介して接続される利用者端末装置、評価者端末装置およびサーバ装置により評価対象ファイルを評価する、ネットワークを用いた評価システムであって、
前記利用者端末装置は、
前記評価対象ファイルを前記サーバ装置に送信し、前記サーバ装置から受信した前記評価対象ファイルの評価結果を利用者に対して評価認識可能な状態に出力し、
前記評価者端末装置は、
前記サーバ装置から転送された前記評価対象ファイルを評価者に対して評価可能な状態に出力し、評価者から入力された評価コメントまたは評価用フォームの評価項目をチェックしたものである評価結果を前記サーバ装置に返信し、
前記サーバ装置は、
ログオンした前記評価者端末装置を待機中評価者端末として登録しログオフした前記評価者端末装置を削除する評価者管理テーブルと、前記評価対象ファイルの評価順番待ち状態を登録する順番待ちテーブルと、を備え、
前記評価対象ファイルが前記利用者端末装置から送信された際、前記評価者管理テーブルを参照して前記評価者端末装置を検索し、
前記待機中評価者端末がある場合は、前記評価対象ファイルを前記待機中評価者端末に転送するとともに、当該評価者端末装置を評価中評価者端末として登録する一方、
前記待機中評価者端末が無い場合は、前記評価対象ファイルを前記順番待ちテーブルに登録し、
前記評価者端末装置から前記評価結果が返信された際、当該評価者端末装置を待機中評価者端末として評価者管理テーブルに登録するとともに、前記評価者端末装置から受信した前記評価対象ファイルの評価結果を前記利用者端末装置に返信する、ネットワークを用いた評価システム。
【請求項２】
前記利用者端末装置は、評価対象ファイルを評価し、評価結果が基準以上のとき、さらに専門の評価者からの評価を勧める文言を表示手段に表示し、了承の返答を受け付けると、前記評価対象ファイルを前記サーバ装置に送信する請求項１に記載の評価システム。
【請求項３】
ネットワークを介して接続されるカラオケ装置、評価者端末装置およびサーバ装置により、カラオケ曲の歌唱者の歌唱音声を録音した録音ファイルを評価するカラオケ歌唱評価システムであって、
前記カラオケ装置は、
カラオケ曲を演奏するとともに、前記録音ファイルを前記サーバ装置に送信し、前記サーバ装置から受信した前記録音ファイルの評価結果を歌唱者に対して出力し、
前記評価者端末装置は、
前記サーバ装置から転送された前記録音ファイルを評価者に対して評価可能な状態に出力し、評価者から入力された評価コメントおよび評価用フォームの評価項目をチェックしたものである評価結果を前記サーバ装置に返信し、
前記サーバ装置は、
ログオンした前記評価者端末装置を待機中評価者端末として登録しログオフした前記評価者端末装置を削除する評価者管理テーブルと、前記評価対象ファイルの評価順番待ち状態を登録する順番待ちテーブルと、を備え、
前記録音ファイルが前記カラオケ装置から送信された際、前記評価者管理テーブルを参照して前記カラオケ装置を検索し、
前記待機中評価者端末がある場合は、前記録音ファイルを前記待機中評価者端末に転送するとともに、当該評価者端末装置を評価中評価者端末として登録する一方、
前記待機中評価者端末が無い場合は、前記録音ファイルを前記順番待ちテーブルに登録し、
前記評価者端末装置から前記評価結果が返信された際、当該評価者端末装置を待機中評価者端末として評価者管理テーブルに登録するとともに、前記カラオケ装置から受信した前記録音ファイルの評価結果を前記利用者端末装置に返信する、ネットワークを用いた評価システム。
【請求項４】
前記カラオケ装置は、歌唱者の歌唱を採点して採点結果が基準点以上のとき、さらに専門の評価者からの評価を勧める文言を表示手段に表示し、了承の返答を受け付けると前記歌唱音声の録音ファイルを前記サーバ装置に送信する請求項３に記載のカラオケ歌唱評価システム。
【請求項５】
カラオケ装置、サーバ装置および評価者端末装置がネットワークを介して接続され、
前記カラオケ装置は、カラオケ曲を演奏するとともに、カラオケ曲の歌唱者の歌唱音声を録音した録音ファイルを作成して、これを前記評価者端末装置に送信し、前記サーバ装置から受信した前記録音ファイルの評価結果を歌唱者に対して出力し、
前記評価者端末装置は、
前記カラオケ装置から受信した録音ファイルを再生するとともに、評価者から入力された評価結果を前記カラオケ装置に返信するシステムであって、
前記カラオケ装置は、
前記サーバ装置に対して録音ファイルをどの評価者端末装置に送信すべきかを問い合わせ、
前記サーバ装置は、
ログオンした前記評価者端末装置を待機中評価者端末として登録しログオフした前記評価者端末装置を削除する評価者管理テーブルと、前記評価対象ファイルの評価順番待ち状態を登録する順番待ちテーブルと、を備え、
前記評価対象ファイルが前記利用者端末装置から送信された際、前記評価者管理テーブルを参照して前記評価者端末装置を検索し、
前記待機中評価者端末がある場合は、前記評価対象ファイルを前記待機中評価者端末に転送するとともに、当該評価者端末装置を評価中評価者端末として登録する一方、
前記待機中評価者端末が無い場合は、前記評価対象ファイルを前記順番待ちテーブルに登録し、
前記評価者端末装置から前記評価結果が返信された際、当該評価者端末装置を待機中評価者端末として評価者管理テーブルに登録するとともに、前記評価者端末装置から受信した前記評価対象ファイルの評価結果を前記利用者端末装置に返信するカラオケ歌唱評価システム。
【請求項６】
前記カラオケ装置は、歌唱者の歌唱を採点して採点結果が基準点以上のとき、さらに専門の評価者からの評価を勧める文言を表示手段に表示し、了承の返答を受け付けると、前記サーバ装置に対して録音ファイルをどの評価者端末装置に送信すべきかを問い合わせる請求項５に記載のカラオケ歌唱評価システム。
【請求項７】
前記カラオケ装置は、歌唱者の歌唱を採点して採点結果が基準点以上のとき、さらに専門の評価者からの評価が有料サービスであることを表示手段に表示し、了承の返答を受け付けると課金処理を行う請求項４または５に記載のカラオケ歌唱評価システム。
【請求項８】
前記録音ファイルは、カラオケ曲のうちの特定の一部区間の歌唱音声を録音したものである請求項３乃至７のいずれかに記載のカラオケ歌唱評価システム。
【発明の詳細な説明】
【０００１】
【発明の属する技術分野】
この発明は、カラオケ装置における歌唱者の歌唱音声を他の装置に転送することでより精度よく歌唱を採点評価できるようにしたカラオケ歌唱評価システムなどのネットワークを用いた評価システムに関する。
【０００２】
【発明が解決しようとする課題】
採点機能を備えたカラオケ装置が実用化されている。この採点機能は、歌唱者の音声から音程、声の有無／強弱等を検出し、それを手本データと比較して、その一致の程度（ずれの程度）に基づいて点数を決定するものであった。このため、たとえば感情をこめた歌唱として高度な歌い方をした場合に、却ってタイミングがずれて点数が下がることがあり、実際に人間が聴いた場合の巧拙とは必ずしも一致しない採点結果がでてしまうことがあった。また、上記従来の採点機能は、単に点数が表示されるのみ、または「音声が良くない」など若干のアドバイスが表示される程度で実際にどのような歌唱になっているかを具体的に評価するものではなく、歌唱者にとってそれほど参考になるものではなかった。
【０００３】
この発明は、カラオケ装置における歌唱を外部の専門家に評価してもらうことにより、高精度で参考になる歌唱評価を可能にしたカラオケ歌唱評価システムなどのネットワークを用いた評価システムを提供することを目的とする。
【０００４】
【課題を解決するための手段】
請求項１の発明は、
ネットワークを介して接続される利用者端末装置、評価者端末装置およびサーバ装置により評価対象ファイルを評価する、ネットワークを用いた評価システムであって、
前記利用者端末装置は、
前記評価対象ファイルを前記サーバ装置に送信し、前記サーバ装置から受信した前記評価対象ファイルの評価結果を利用者に対して評価認識可能な状態に出力し、
前記評価者端末装置は、
前記サーバ装置から転送された前記評価対象ファイルを評価者に対して評価可能な状態に出力し、評価者から入力された評価コメントおよび評価用フォームの評価項目をチェックしたものである評価結果を前記サーバ装置に返信し、
前記サーバ装置は、
ログオンした前記評価者端末装置を待機中評価者端末として登録しログオフした前記評価者端末装置を削除する評価者管理テーブルと、前記評価対象ファイルの評価順番待ち状態を登録する順番待ちテーブルと、を備え、
前記評価対象ファイルが前記利用者端末装置から送信された際、前記評価者管理テーブルを参照して前記評価者端末装置を検索し、
前記待機中評価者端末がある場合は、前記評価対象ファイルを前記待機中評価者端末に転送するとともに、当該評価者端末装置を評価中評価者端末として登録する一方、
前記待機中評価者端末が無い場合は、前記評価対象ファイルを前記順番待ちテーブルに登録し、
前記評価者端末装置から前記評価結果が返信された際、当該評価者端末装置を待機中評価者端末として評価者管理テーブルに登録するとともに、前記評価者端末装置から受信した前記評価対象ファイルの評価結果を前記利用者端末装置に返信することを特徴とする。
請求項２の発明は、前記利用者端末装置は、評価対象ファイルを評価し、評価結果が基準以上のとき、さらに専門の評価者からの評価を勧める文言を表示手段に表示し、了承の返答を受け付けると、前記評価対象ファイルを前記サーバ装置に送信することを特徴とする。
【０００５】
請求項３の発明は、
ネットワークを介して接続されるカラオケ装置、評価者端末装置およびサーバ装置により、カラオケ曲の歌唱者の歌唱音声を録音した録音ファイルを評価するカラオケ歌唱評価システムであって、
前記カラオケ装置は、
カラオケ曲を演奏するとともに、前記録音ファイルを前記サーバ装置に送信し、前記サーバ装置から受信した前記録音ファイルの評価結果を歌唱者に対して出力し、
前記評価者端末装置は、
前記サーバ装置から転送された前記録音ファイルを評価者に対して評価可能な状態に出力し、評価者から入力された評価コメントおよび評価用フォームの評価項目をチェックしたものである評価結果を前記サーバ装置に返信し、
前記サーバ装置は、
ログオンした前記評価者端末装置を待機中評価者端末として登録しログオフした前記評価者端末装置を削除する評価者管理テーブルと、前記評価対象ファイルの評価順番待ち状態を登録する順番待ちテーブルと、を備え、
前記録音ファイルが前記カラオケ装置から送信された際、前記評価者管理テーブルを参照して前記カラオケ装置を検索し、
前記待機中評価者端末がある場合は、前記録音ファイルを前記待機中評価者端末に転送するとともに、当該評価者端末装置を評価中評価者端末として登録する一方、
前記待機中評価者端末が無い場合は、前記録音ファイルを前記順番待ちテーブルに登録し、
前記評価者端末装置から前記評価結果が返信された際、当該評価者端末装置を待機中評価者端末として評価者管理テーブルに登録するとともに、前記カラオケ装置から受信した前記録音ファイルの評価結果を前記利用者端末装置に返信することを特徴とする。
請求項４の発明は、前記カラオケ装置は、歌唱者の歌唱を採点して採点結果が基準点以上のとき、さらに専門の評価者からの評価を勧める文言を表示手段に表示し、了承の返答を受け付けると前記歌唱音声の録音ファイルを前記サーバ装置に送信することを特徴とする。
【０００６】
請求項５の発明は、
カラオケ装置、サーバ装置および評価者端末装置がネットワークを介して接続され、
前記カラオケ装置は、カラオケ曲を演奏するとともに、カラオケ曲の歌唱者の歌唱音声を録音した録音ファイルを作成して、これを前記評価者端末装置に送信し、前記サーバ装置から受信した前記録音ファイルの評価結果を歌唱者に対して出力し、
前記評価者端末装置は、
前記カラオケ装置から受信した録音ファイルを再生するとともに、評価者から入力された評価結果を前記カラオケ装置に返信するシステムであって、
前記カラオケ装置は、
前記サーバ装置に対して録音ファイルをどの評価者端末装置に送信すべきかを問い合わせ、
前記サーバ装置は、
ログオンした前記評価者端末装置を待機中評価者端末として登録しログオフした前記評価者端末装置を削除する評価者管理テーブルと、前記評価対象ファイルの評価順番待ち状態を登録する順番待ちテーブルと、を備え、
前記評価対象ファイルが前記利用者端末装置から送信された際、前記評価者管理テーブルを参照して前記評価者端末装置を検索し、
前記待機中評価者端末がある場合は、前記評価対象ファイルを前記待機中評価者端末に転送するとともに、当該評価者端末装置を評価中評価者端末として登録する一方、
前記待機中評価者端末が無い場合は、前記評価対象ファイルを前記順番待ちテーブルに登録し、
前記評価者端末装置から前記評価結果が返信された際、当該評価者端末装置を待機中評価者端末として評価者管理テーブルに登録するとともに、前記評価者端末装置から受信した前記評価対象ファイルの評価結果を前記利用者端末装置に返信することを特徴とする。
請求項６の発明は、前記カラオケ装置は、歌唱者の歌唱を採点して採点結果が基準点以上のとき、さらに専門の評価者からの評価を勧める文言を表示手段に表示し、了承の返答を受け付けると、サーバ装置に対して録音ファイルをどの評価者端末装置に送信すべきかを問い合わせることを特徴とする。
【０００７】
請求項７の発明は、前記カラオケ装置は、歌唱者の歌唱を採点して採点結果が基準点以上のとき、さらに専門の評価者からの評価が有料サービスであることを表示手段に表示し、了承の返答を受け付けると課金処理を行うことを特徴とする。
請求項８の発明は、前記録音ファイルは、カラオケ曲のうちの特定の一部区間の歌唱音声を録音したものであることを特徴とする。
【０００８】
請求項３〜８の発明では、歌唱を評価する専門家である評価者が評価者端末装置で歌唱者の歌唱音声（録音ファイル）を聴いて評価する。カラオケ装置は各所に設置されているため、各カラオケ装置の場所に専門の評価者を待機させて歌唱を評価したり指導したりすることは困難であるが、インターネットなどの広域のネットワーク（ＷＡＮ）を介してカラオケ装置と評価者端末装置とを接続し、録音したファイルを転送することにより、評価者がカラオケ装置と異なる場所にいても歌唱の評価が可能になるとともに、一人の評価者が複数の場所に設置されたカラオケ装置の歌唱者の歌唱を評価することも可能になる。
【０００９】
そして、この発明では、サーバ装置に評価者端末装置がログオンしたか、待機中か、評価中か等の状態を管理する評価者管理テーブルと、評価対象ファイルの評価順番待ち状態を管理する順番待ちテーブルと、を設けて評価者端末装置を管理し、録音ファイル待ちで待機している評価者端末装置に録音ファイルを送信して評価してもらうようにした。これにより、カラオケ装置から空きの評価者端末装置へランダムアサインが可能になり、評価者端末装置（評価者）を効率的に機能させることができる。
【００１０】
また、これをカラオケ歌唱の評価以外に適用することも可能であり、利用者端末装置は、店舗などに設置された端末装置のほか自宅に設置されたパーソナルコンピュータなどを適用することができる。また、評価対象としては、各種の作品などを適用することができる。たとえば、短歌、俳句などの詩作を評価対象ファイルとしてサーバに送信し、評価者である教師がこれを添削するとともに、優秀な作品は別途ウェブサーバを用いてインターネットに掲載するシステムを構成することも可能である。
【００１１】
【発明の実施の形態】
図１はこの発明の実施形態である歌唱評価システムの構成を示す図である。カラオケ装置１およびサーバ装置２は、広域ネットワークであるインターネット４を介して接続されている。サーバ装置２には、複数の評価者端末装置３がＬＡＮを介して接続されている。
【００１２】
カラオケ装置１は、カラオケ曲を演奏するための楽曲データを記憶する記憶手段と、このカラオケ曲に基づいてカラオケ曲を演奏する演奏手段を備えている。また、カラオケ曲を演奏しているときに歌唱者の歌唱音声を取り込み、カラオケ曲のリファレンスデータと比較して歌唱を採点する採点手段、および、取り込んだ歌唱者の歌唱音声を圧縮して録音ファイルとして記憶する録音手段を備えている。録音手段は、カラオケ曲全体の歌唱音声を記憶してもよいが、サビやクライマックスなどの特定の一部区間のみを記憶するようにしてもよい。サビやクライマックスなどの区間は、曲データ中に区間毎に付されているマークデータに基づいて判断すればよい。
【００１３】
評価者端末装置３は、歌唱の評価・指導の専門家である評価者が操作する端末装置であり、サーバ装置２を介して受信した評価対象ファイルである録音ファイルを評価者に対して再生する。そして、評価者がこの歌唱に対する評価を入力すると、この評価結果がサーバ装置２に送信され、サーバ装置から上記録音ファイルを送信してきたカラオケ装置１に転送される。当該カラオケ装置１においては、その評価結果が歌唱者に対して出力される。出力の態様はモニタへの表示、プリントアウトなどがある。
【００１４】
評価者は、録音ファイルに記録されている歌唱者の歌唱を聴いて、キーボードでコメントを入力したり、所定の評価用フォームの該当する評価項目をチェックするなどして歌唱を評価する。
【００１５】
カラオケ装置１では歌唱者に対してこの評価内容を表示することで、精度の高い歌唱の評価をすることができる。
【００１６】
サーバ装置２は、複数の評価者端末装置３を管理する装置であり、評価者管理テーブルを備えている。評価者管理テーブルは、サーバ装置２に対してログオンした評価者端末装置を登録し、各評価者端末装置のステータスを記憶する。ステータスとしては、録音ファイル待ちの「待機中」と録音ファイルを受信して歌唱を評価している「評価中」がある。また、サーバ装置２からログオフした評価者端末装置は、評価者管理テーブルから削除される。
【００１７】
サーバ装置２は、カラオケ装置１から録音ファイルが送信されたきたとき、評価者管理テーブルから待機中の評価者端末装置を検索し、その評価者端末装置に対して録音ファイルを転送する。
【００１８】
図２は、上記カラオケ装置１の動作を示すフローチャートである。ここではカラオケ曲を演奏するとともにその歌唱を採点する機能を示している。まず歌唱者からリクエストのあったカラオケ曲を演奏する（ｓ１）。そのカラオケ曲に合わせて歌唱者が歌唱するため、この歌唱音声を取り込み、カラオケ曲の演奏と並行して歌唱を採点する（ｓ２）。この採点は、歌唱の音量や周波数を曲データ中のリファレンスと比較して行う公知のものである。また、このカラオケ曲の演奏および採点と並行して所定の歌唱区間を録音する（ｓ３）。この歌唱区間は、曲データに記録されているマークデータに基づいて決定されるサビやクライマックスなどの区間が選択される。
【００１９】
曲の演奏が終了すると、ｓ２の採点結果が基準点（たとえば８５点）以上であるかを判断する（ｓ４）。採点結果が基準点に達していない場合には、その点数をモニタに表示して（ｓ５）動作を終了する。
【００２０】
採点結果が基準点以上になっていた場合には、採点結果をモニタに表示するとともに（ｓ６）、「専門家の評価を受けてみませんか」というような勧誘の文言を表示する（ｓ７）。またこれを有料サービスとして提供する場合には有料である旨の表示も同時に行う。そして、これに対して歌唱者がＯＫの返答を返してきた場合にはｓ８の判断でｓ９以下に進む。歌唱者が評価不要の返答を返してきた場合にはそのまま動作を終了する。
【００２１】
このサービスを有料サービスとして提供する場合には課金処理を行う（ｓ９）。そして、サーバ装置２にアクセスしてｓ３で録音した録音ファイルをサーバ装置２に送信する（ｓ１０）。その後、サーバ装置２から評価結果を受信して（ｓ１１）、これをモニタに表示する（ｓ１２）。この表示と同時にプリントアウトするようにしてもよい。
【００２２】
図３はサーバ装置２の動作を示すフローチャートである。サーバ装置は、評価者端末装置を管理するとともに、カラオケ装置の録音ファイルの転送先を管理する。評価者端末装置がログオンしてくると（ｓ１５）、この評価者端末装置を評価者管理テーブルに登録する（ｓ１６）。登録された評価者端末装置は待機中のステータスがセットされる。一方、評価者端末装置からログオフの通知があると（ｓ１７）、この評価者端末装置を評価者管理テーブルから削除する（ｓ１８）。
【００２３】
また、カラオケ装置１から歌唱を評価してもらうための録音ファイルが送信されてくると（ｓ１９）、待機中の評価者端末装置があるかを評価者管理テーブルから検索し（ｓ２０）、待機中の評価者端末装置がある場合には、この待機中の評価者端末装置に対して録音ファイルを転送する（ｓ２１）。そして、この評価者端末装置のステータスとして評価中をセットする（ｓ２２）。一方、ｓ２０でステータスが待機中の評価者端末装置が無かった場合には、録音ファイルを順番待ちテーブルに登録して（ｓ２３）、空きの評価者端末装置ができたとき（いずれかの評価者端末装置が待機中にもどったとき）にその評価者端末装置に録音ファイルを転送するようにする。
【００２４】
また、評価者端末装置から、録音ファイルに対する評価結果が送られてくると（ｓ２４）、この評価結果を録音ファイルを送信してきたカラオケ装置に転送するとともに（ｓ２５）、現在順番待ちになっている録音ファイルがあるかを検索し（ｓ２６）、順番待ちの録音ファイルが存在する場合には、今回待機状態になった評価者端末装置に対してこの録音ファイルを転送する（ｓ２８）。一方、順番待ちの録音ファイルがない場合には、この評価結果を返信してきた評価者端末装置のステータスを待機中にセットする（ｓ２７）。
【００２５】
この動作により、待機中の評価者端末装置に対して効率的に録音ファイルを転送することができ、少ない評価者で多くの歌唱の評価が可能になる。
【００２６】
図４は評価者端末装置の動作を示すフローチャートである。評価者端末装置３は、サーバ装置２との通信機能を備えたパーソナルコンピュータであり、評価者の操作によって以下のような動作をする。まず、この評価者端末装置で歌唱を評価する評価者がこの評価者端末装置をサーバ装置２に対してログオンする（ｓ３１）。これによって、サーバ装置２の評価者管理テーブルにこの評価者端末装置が待機中である旨の登録が行われる。そして、サーバ装置２から録音ファイルが転送されてくるまで待機する（ｓ３２）。
【００２７】
録音ファイルが転送されてくると（ｓ３２）、この録音ファイルを再生する（ｓ３３）。すなわち、カラオケ装置で歌唱した歌唱者の音声が評価者端末装置で再生され、評価者が聴くことができる。評価者はこれを聴いて歌唱を評価し、キーボードからコメントを打ち込んだり、評価用フォームの評価項目をチェックしたりして歌唱結果を入力する（ｓ３４）。そして、この評価結果をサーバ装置２に対して返信する（ｓ３５）。
【００２８】
この返信によって評価作業は終了するため、再び待機状態、すなわち録音ファイルの転送待ち状態（ｓ３２）にもどる。
【００２９】
このようにこの実施形態では、カラオケ装置とサーバ装置とをインターネットなどのネットワークで接続し、評価者端末装置をサーバ装置の下流に複数接続しておくことで、サーバ装置が待機状態の評価者端末装置に録音ファイルを転送することで多くのカラオケ装置からのアクセスを振り分けることができるようにした。この方式は、サーバ装置と複数の評価者端末装置がＬＡＮで接続され、評価者がサーバ装置が設置されている社屋に出勤するというような形態で実現することができる。
【００３０】
以下説明する第２の実施形態は、各評価者の評価者端末装置もインターネットなどのＷＡＮ上に接続されており、サーバ装置はＷＡＮ上の評価者端末装置を管理するという形態のシステムである。
図５は、この発明の第２の実施形態である歌唱評価システムの構成を示す図である。この実施形態では、複数のカラオケ装置１およびサーバ装置２がインターネット４に接続されているとともに、評価者が操作する評価者端末装置３もインターネットに接続されている。このシステムでは、カラオケ装置１で録音された録音ファイルは、サーバ装置２を経由することなく、直接評価者端末装置３に送信される。録音ファイルをどの評価者端末装置３に送信するかが、サーバ装置２からカラオケ装置１に対して指示される。カラオケ装置１、サーバ装置２、評価者端末装置３は第１の実施形態とほぼ同様の構成でよく、サーバ装置２に設定される評価者管理テーブルもほぼ同様の構成でよい。
【００３１】
図６は、上記カラオケ装置１の動作を示すフローチャートである。まず歌唱者からリクエストのあったカラオケ曲を演奏する（ｓ４１）。そのカラオケ曲に合わせて歌唱者が歌唱するため、この歌唱音声を取り込み、上記カラオケ曲の演奏と並行して歌唱を採点する（ｓ４２）。この採点は、上記公知の方式のものでよい。また、このカラオケ曲の演奏および採点と並行して所定の歌唱区間を録音する（ｓ４３）。この歌唱区間は、曲データに記録されているマークデータに基づいて決定されるサビやクライマックスなどの区間が選択される。
【００３２】
曲の演奏が終了すると、ｓ４２の採点結果が基準点（たとえば８５点）以上であるかを判断する（ｓ４４）。採点結果が基準点に達していない場合には、その点数をモニタに表示して（ｓ４５）動作を終了する。
【００３３】
採点結果が基準点以上になっていた場合には、採点結果をモニタに表示するとともに（ｓ４６）、「専門家の評価を受けてみませんか」というような勧誘の文言を表示する（ｓ４７）。またこれを有料サービスとして提供する場合には有料である旨の表示も同時に行う。そして、これに対して歌唱者がＯＫの返答を返してきた場合にはｓ４８の判断でｓ４９以下に進む。歌唱者が評価不要の返答を返してきた場合にはそのまま動作を終了する。
【００３４】
これが有料サービスの場合には課金処理を行う（ｓ４９）。そして、サーバ装置２にアクセスしてｓ４３で録音した録音ファイルの送信先を問い合わせる（ｓ５０）。サーバ装置は評価者管理テーブルにどの評価者が待機状態かを記憶しているため、これを検索して待機状態の評価者端末装置をカラオケ装置に対して返信する。カラオケ装置はこの評価者端末装置のアドレス（またはＵＲＬ）を受信し（ｓ５１）、この評価者端末装置に対して録音ファイルを送信する（ｓ５２）。そして、この評価者端末装置３から評価結果を受信して（ｓ５３）、これをモニタに表示する（ｓ５４）。この表示と同時にプリントアウトするようにしてもよい。
【００３５】
図７はサーバ装置２の動作を示すフローチャートである。サーバ装置は、評価者端末装置を管理するとともに、カラオケ装置の録音ファイルの送信先を管理する。インターネットを介して評価者端末装置からログオン通知があると（ｓ６０）、この評価者端末装置を評価者管理テーブルに登録する（ｓ６１）。登録された評価者端末装置は待機中のステータスがセットされる。一方、インターネットを介して評価者端末装置からログオフ通知があると（ｓ６２）、この評価者端末装置を評価者管理テーブルから削除する（ｓ６３）。
【００３６】
また、カラオケ装置１から歌唱を評価してもらうための録音ファイルの送信先の問い合わせがあると（ｓ６４）、待機中の評価者端末装置があるかを評価者管理テーブルから検索し（ｓ６５）、待機中の評価者端末装置がある場合には、この待機中の評価者端末装置のアドレスまたはＵＲＬをカラオケ装置に返信する（ｓ６６）。そして、この評価者端末装置のステータスとして歌唱評価中をセットする（ｓ６７）。一方、ｓ６５でステータスが待機中の評価者端末装置が無かった場合には、問い合わせがあったカラオケ装置を順番待ちテーブルに登録して（ｓ６８）、空きの評価者端末装置ができたとき（いずれかの評価者端末装置が待機中にもどったとき）にアドレスを通知するようにする。
【００３７】
また、評価者端末装置から、受信した録音ファイルの評価が終了した旨の通知である評価終了通知を受信すると（ｓ７０）、順番待ちをしているカラオケ装置があるかを検索し（ｓ７１）、順番待ちをしているカラオケ装置が存在する場合には、そのカラオケ装置に対してこの評価を終了して待機状態になった評価者端末装置のアドレスを通知し（ｓ７３）、この評価者端末装置に録音ファイルが送信されるようにする。一方、順番待ちのカラオケ装置がない場合には、この評価終了の通知が来た端末装置のステータスを待機中にセットする（ｓ７２）。
【００３８】
図８は評価者端末装置の動作を示すフローチャートである。評価者の操作によってサーバ装置に対してログオンする（ｓ８０）。これにより、サーバ装置の評価者管理テーブルに登録され、録音ファイルが送られてくるようになる。
【００３９】
こののち、評価の依頼があるまで待機する（ｓ８１）。評価の依頼があったときそのカラオケ装置から録音ファイルが送信されてくる（ｓ８３）、これを再生処理して（ｓ８４）評価者が歌唱者の歌唱を聴くことで評価し（ｓ８５）、この評価をカラオケ装置に対して返信する（ｓ８６）。そして、サーバ装置に対して評価終了の通知を送信する（ｓ８７）。評価終了の通知を受信したサーバ装置は、この評価者端末装置のステータスを待機中にセットし、次の評価依頼に対応できるようにする。
【００４０】
このように、この実施形態では、評価者端末装置もインターネット上に接続されているため、評価者は在宅等で自分の端末装置を用いて評価を行うことができる。
【００４１】
上記実施形態は、カラオケ装置を用いたカラオケ歌唱の評価に関するものであったが、これをカラオケ歌唱の評価以外に適用することも可能であり、利用者端末装置は、店舗などに設置された端末装置のほか自宅に設置されたパーソナルコンピュータなどを適用することができる。また、評価対象としては、各種の作品などを適用することができる。たとえば、短歌、俳句などの詩作を評価対象ファイルとしてサーバに送信し、評価者である教師がこれを添削するとともに、優秀な作品は別途ウェブサーバを用いてインターネットに掲載するシステムを構成することも可能である。
【００４２】
【発明の効果】
以上のようにこの発明によれば、カラオケ曲の歌唱を装置による機械的な評価だけでなく、歌唱を評価する技量のある評価者によって評価してもらうことができるため、より信頼度の高い歌唱評価が可能になり、ネットワークを介して複数のカラオケ装置の録音ファイルを評価者の端末装置に送信するようにしたことにより、少ない評価者が多くのカラオケ装置の歌唱評価を担当することができる。
【図面の簡単な説明】
【図１】この発明の第１の実施形態であるカラオケ歌唱評価システムの構成を示す図
【図２】同カラオケ歌唱評価システムのカラオケ装置の動作を示すフローチャート
【図３】前記サーバ装置の動作を示すフローチャート
【図４】前記カラオケ歌唱評価システムの評価者端末装置の動作を示すフローチャート
【図５】この発明の第２の実施形態であるカラオケ歌唱評価システムの構成を示す図
【図６】同カラオケ歌唱評価システムのカラオケ装置の動作を示すフローチャート
【図７】同カラオケ歌唱評価システムのサーバ装置の動作を示すフローチャート
【図８】前記カラオケ歌唱評価システムの評価者端末装置の動作を示すフローチャート
【符号の説明】
１…カラオケ装置、２…サーバ装置、３…評価者端末装置、４…インターネット
【図１】
0004103400.tif 000002
【図２】
0004103400.tif 000003
【図３】
0004103400.tif 000004
【図４】
0004103400.tif 000005
【図５】
0004103400.tif 000006
【図６】
0004103400.tif 000007
【図７】
0004103400.tif 000008
【図８】
0004103400.tif 000009